(57)【特許請求の範囲】
【請求項１】
感光性記録媒体と、
前記感光性記録媒体を回転自在に収容するディスク収容部と、挿入方向の側面に形成された開口部と、内側にオフセットされ、前記開口部側の側面に連通して外面に形成されたシャッタ摺動面と、前記感光性記録媒体の中心と記録面とを外部に露呈させる内部開口と、を有するカートリッジ本体と、
前記カートリッジ本体の前記開口部側の側面から挿嵌されて前記シャッタ摺動面に取り付けられ、前記内部開口を閉じる閉じ位置と前記内部開口を開放する開き位置との間で移動自在に配設されたシャッタと、
前記カートリッジ本体の前記側面に固着されて前記開口部を閉じる蓋体と、前記カートリッジ本体の前記シャッタ摺動面の外方に内側にオフセットされて形成された遮光板取付面と、を備え、
前記シャッタが、前記蓋体と、前記シャッタ摺動面および前記外面の境界に形成される第１の段部とにより移動が制限されて前記シャッタ摺動面に取り付けられ、前記カートリッジ本体の前記開口部側の側面から挿嵌されて、前記蓋体と、前記遮光板取付面および前記外面の境界に形成される第２の段部とに挟持されて前記遮光板取付面に固着される遮光板が設けられていることを特徴とする感光性記録媒体用カートリッジ。
【請求項２】
前記カートリッジ本体は、略板状の第１シェルと、
前記第１シェルに重ね合わされて接合されて前記ディスク収容部を形成する略板状の第２シェルと、
から構成されることを特徴とする請求項１に記載の感光性記録媒体用カートリッジ。
【請求項３】
前記蓋体は、前記開口部に嵌合し且つ超音波溶着、接着、加締め、圧入、または前記蓋体および前記カートリッジ本体に形成される係止部材による係合のいずれかにより、前記カートリッジ本体に固着されることを特徴とする請求項１又は２に記載の感光性記録媒体用カートリッジ。
【請求項４】
前記感光性記録媒体は、ホログラム記録媒体であるあることを特徴とする請求項１から３のいずれか１項に記載の感光性記録媒体用カートリッジ。
【請求項５】
請求項１から４のいずれか１項に記載の感光性記録媒体用カートリッジの製造方法であって、
前記ディスク収容部に前記感光性記録媒体を回動自在に収容するステップと、
前記シャッタが、前記カートリッジ本体の前記開口部側の側面から前記シャッタ摺動面に移動自在に取り付けられるステップと、
前記蓋体が、前記カートリッジ本体の前記開口部に固着されて前記開口部を閉じるステップと、を有することを特徴とする感光性記録媒体用カートリッジの製造方法。
【請求項６】
前記シャッタが前記シャッタ摺動面に取り付けられた後、前記遮光板が前記シャッタの外側を覆うようにして前記カートリッジ本体の前記開口部側の側面から前記遮光板取付面に取り付けられるステップを有することを特徴とする請求項５に記載の感光性記録媒体用カートリッジの製造方法。
【発明の詳細な説明】
【技術分野】
【０００１】
本発明は、感光性記録媒体用カートリッジおよびその製造方法に関し、特に、部品点数を削減して組付け性を向上させた感光性記録媒体用カートリッジ及びその製造方法に関する。
【背景技術】
【０００２】
データをホログラムによって記録するホログラム記録媒体が発明されている（例えば、特許文献１参照）。このホログラム記録媒体は、円板形状の支持体上に感光性材料からなるホログラム記録層が層設された感光性記録媒体であり、データをレーザ光の干渉縞として多層記録することにより、従来普及している記録媒体であるDVDよりも大きなデータ記録容量を得ることができる。このホログラム記録媒体は、ホログラム記録層が曝光され、または塵芥が付着することによりその性能に悪影響が及ぶため、遮光機能及び防塵機能を有するカートリッジに収容されて取り扱われている（例えば、特許文献２参照）。
【０００３】
また、ディスク状記録媒体を収容するカートリッジとしては、ディスク状記録媒体を外部に露出させる開口が形成されたカートリッジ本体、および該開口を開閉するシャッタを備えたカートリッジ（例えば、特許文献３参照）や、シャッタの外側に更に遮光板（シャッタカバー）を備えたカートリッジが知られている（例えば、特許文献４参照）。
【０００４】
特許文献１に記載の発明は、DVD-RAMのカートリッジに類似したカートリッジにホログラム記録媒体を収容している。このカートリッジは、ホログラム記録層に影響を与える波長域の光線の透過率が小さい材質で形成されている。特許文献１には、カ一トリッジの詳しい構成は記載されていないものの、特許文献２に記載されているカートリッジと同様の構成を有しているものと考えられる。
【０００５】
特許文献２に記載の発明は、ホログラム記録層の感応色を遮光する材質でカートリッジを形成し、ホログラム記録媒体を外部に露呈させる可動部分の合せ目には、スポンジ状の遮光材を貼付している。また、記録媒体を回転自在に収容するカートリッジ本体と、このカートリッジ本体に設けられ、記録媒体の一部を外部に露呈させる開口と、この開口を開閉するシャッタとを備えたカートリッジが記載されている。
【０００６】
特許文献３に記載の発明は、主に光磁気ディスクを収容することを目的としたカートリッジであるが、シャッタからシャッタ閉じ方向に延設された延設部に開放駆動用凹部が設けられており、カートリッジが挿入される記録再生装置に配設されたシャッタ開放部材が開放駆動用凹部に係合してシャッタを開閉するカートリッジが記載されている。
【０００７】
また、特許文献４に記載の発明は、シャッタと、シャッタに固着されたスライド部材と、シャッタの外側に設けられた遮光板とを備え、スライド部材を介してシャッタを開閉するカートリッジについて記載されている。
【０００８】
【特許文献１】特開２００４―０２９４７６号公報
【特許文献２】特開２００３―３１７４２２号公報
【特許文献３】特開平７―２１０９１２号公報
【特許文献４】特開２００１―２１６７５４号公報
【発明の開示】
【発明が解決しようとする課題】
【０００９】
ホログラム記録媒体を収容するカートリッジは、カートリッジ本体とシャッタとの間の遮光及び防塵が適切に行なわれないと、光や塵芥がカ一トリッジ内に進入し、ホログラム記録媒体に悪影響を与えてしまう。しかし、特許文献１には、カートリッジ本体とシャッタとの間の遮光及び防塵構造に関する記載がない。
【００１０】
また、特許文献２から特許文献４記載のカートリッジは、内側にオフセットされてカートリッジの外面に設けられたシャッタ摺動面にシャッタが取り付けられている。シャッタの取付けは、シャッタ摺動面の両側方に外面との間に段差があるため、カートリッジの両面を挟み込むようにして、挿入方向前方から後方に向けて押圧されて取り付けられるのが一般的である。このとき、断面略コの字形のシャッタは、押し広げられながら挿嵌されるため変形することがあった。すると、記録媒体がホログラム記録媒体などの感光性記録媒体である場合、シャッタが僅かでも変形していると遮光性能の劣化に繋がり、感光性記録媒体を感光させる可能性があった。
【００１１】
また、特許文献２から特許文献４記載のカートリッジは、互いに重ね合わされた略板状の２枚のシェルから構成されており、２枚のシェル内に記録媒体を収容している。２枚のシェルは通常ねじ止めにより固定されるので、部品点数が増大すると共に組付け性が劣る問題があった。
【００１２】
更に、特許文献２および特許文献３記載のカートリッジは、遮光板を備えておらず、シャッタだけで遮光するようになっているので、感光性記録媒体を収容するカートリッジとしては、遮光性が必ずしも十分でない点で改善の余地があった。また、シャッタが直接外部に露出しているので、シャッタが誤って開放されたり、大きな外力が作用した場合にシャッタが変形することがあり、ホログラム記録媒体が感光して使用できなくなる可能性があった。
【００１３】
特許文献４に記載のカートリッジは、シャッタの外側に更に遮光板を配置して遮光性能の向上が図られている。特許文献４記載のカートリッジは、片面記録式の記録媒体であるため、遮光板は接着テープによりカートリッジ本体に固着されている。位置修正などのために遮光板を接着し直す場合があるが、接着テープによる固着では、遮光板を接着テープから離間させる際に薄板状の遮光板が変形してしまうことがあり、接着テープから離間させた遮光板を再使用できず、また、作業性が劣る問題があった。
【００１４】
また、両面記録式の記録媒体の場合、遮光板は断面略コの字形となるが、この遮光板の取付けは、上記したシャッタと同様に、押し広げられながら挿嵌されるため、遮光板が変形する虞があり、遮光性能が劣化する可能性があった。また、遮光板をカートリッジ本体にねじ止めすることにより、遮光板変形の影響をなくして遮光性を確保することも行われているが、部品点数が増大すると共に、組付け性が悪く、改善の余地があった。
【００１５】
本発明は、上記事情に鑑みてなされたもので、その目的は、ねじ止め箇所を減少させて部品点数を削減すると共に、組付け工数を低減することができる感光性記録媒体用カートリッジ及びその製造方法を提供することにある。
【課題を解決するための手段】
【００１６】
本発明の上記目的は、下記観光性記録媒体用カートリッジおよびその製造方法によって達成される。
（１）感光性記録媒体と、
前記感光性記録媒体を回転自在に収容するディスク収容部と、挿入方向の側面に形成された開口部と、内側にオフセットされ、前記開口部側の側面に連通して外面に形成されたシャッタ摺動面と、前記感光性記録媒体の中心と記録面とを外部に露呈させる内部開口と、を有するカートリッジ本体と、
前記カートリッジ本体の前記開口部側の側面から挿嵌されて前記シャッタ摺動面に取り付けられ、前記内部開口を閉じる閉じ位置と前記内部開口を開放する開き位置との間で移動自在に配設されたシャッタと、
前記カートリッジ本体の前記側面に固着されて前記開口部を閉じる蓋体と、前記カートリッジ本体の前記シャッタ摺動面の外方に内側にオフセットされて形成された遮光板取付面と、を備え、
前記シャッタが、前記蓋体と、前記シャッタ摺動面および前記外面の境界に形成される第１の段部とにより移動が制限されて前記シャッタ摺動面に取り付けられ、前記カートリッジ本体の前記開口部側の側面から挿嵌されて、前記蓋体と、前記遮光板取付面および前記外面の境界に形成される第２の段部とに挟持されて前記遮光板取付面に固着される遮光板が設けられていることを特徴とする感光性記録媒体用カートリッジ。
【００１７】
上記構成の感光性記録媒体用カートリッジによれば、カートリッジ本体の側面に開口部を設けると共に、カートリッジ本体の外面に内側にオフセットさせてシャッタ摺動面を形成する。そして、シャッタが、開口部側の側面からシャッタ摺動面に挿嵌された後、開口部に蓋体が固着される。これにより、シャッタは蓋体とシャッタ摺動面の第１の段部との間に配置され、その移動が制限されてシャッタ摺動面に取り付けられるので、シャッタをシャッタ摺動面に挿嵌する際、従来のようにシャッタを開きながらカートリッジの挿入方向前方から挿嵌させる必要がない。従って、シャッタは変形することなくカートリッジ本体に組み付けられて、シャッタの変形による遮光性の低下が防止できる。
また、上記構成の感光性記録媒体用カートリッジによれば、遮光板が、カートリッジ本体の開口部側の側面から挿嵌されて、開口部に固着された蓋体と、遮光板取付面の第２の段部とに挟持されて遮光板取付面に固着されるので、遮光板を開くことなくカートリッジ本体の遮光板取付面に挿嵌し、固着することができる。これにより、取付け時の遮光板の変形が防止されて遮光性が確保される。更に、遮光板は、ねじなどを用いず、蓋体と第２の段部とに挟持されて固定されるので、部品点数が削減され且つ組付け性の向上が図れる。
【００２０】
（２） 前記カートリッジ本体は、略板状の第１シェルと、前記第１シェルに重ね合わされて接合されて前記ディスク収容部を形成する略板状の第２シェルと、から構成されることを特徴とする上記（１）に記載の感光性記録媒体用カートリッジ。
【００２１】
上記構成の感光性記録媒体用カートリッジによれば、第１シェルと第２シェルとが重ね合わされ、接合されてカートリッジ本体が形成されるので、第１シェルと第２シェルとを接合してカートリッジ本体を形成した後、シャッタおよび遮光板を開口部側の側面からカートリッジ本体に挿嵌し、更に、開口部に蓋体を固着して感光性記録媒体用カートリッジを形成することができる。また、蓋体が、接着などによりカートリッジ本体に固着されれば、ねじ止めを用いることなく、或いは、ねじ止め箇所を削減してカートリッジを形成することができる。これにより、部品点数が削減されると共に、組付け性が向上する。
【００２２】
（３）前記蓋体は、前記開口部に嵌合し且つ超音波溶着、接着、加締め、圧入、または前記蓋体および前記カートリッジ本体に形成される係止部材による係合のいずれかにより、前記カートリッジ本体に固着されることを特徴とする上記（１）又は（２）のいずれか１つに記載の感光性記録媒体用カートリッジ。
【００２３】
上記構成の感光性記録媒体用カートリッジによれば、カートリッジ本体の開口部と蓋体とは、互いに嵌合し且つ超音波溶着、接着、加締め、圧入、または蓋体およびカートリッジ本体に形成される係止部材による係合のいずれかにより固着されるので、ねじ止めなどが不要となり、部品点数が削減されると共に組付け性が向上する。
【００２４】
（４） 前記感光性記録媒体は、ホログラム記録媒体であるあることを特徴とする上記（１）から（３）のいずれか１つに記載の感光性記録媒体用カートリッジ。
【００２５】
上記構成の感光性記録媒体用カートリッジによれば、ホログラム記録媒体を収容する感光性記録媒体用カートリッジを容易且つ安価に製作することができる。
【００２６】
（５）上記（１）から（４）のいずれか１つに記載の感光性記録媒体用カートリッジの製造方法であって、
前記ディスク収容部に前記感光性記録媒体を回動自在に収容するステップと、前記シャッタが、前記カートリッジ本体の前記開口部側の側面から前記シャッタ摺動面に移動自在に取り付けられるステップと、前記蓋体が、前記カートリッジ本体の前記開口部に固着されて前記開口部を閉じるステップと、有することを特徴とする感光性記録媒体用カートリッジの製造方法。
【００２７】
上記感光性記録媒体用カートリッジの製造方法によれば、ディスク収容部に感光性記録媒体を回動自在に収容した後、シャッタが開口部側の側面からシャッタ摺動面に移動自在に取り付けられ、更に、蓋体がカートリッジ本体の開口部に固着されるので、シャッタを変形させることなく、容易に組み付けることができると共に、部品点数の削減が可能となる。また、これによって良好な遮光性能が確保される。
【００２８】
（６）前記シャッタが前記シャッタ摺動面に取り付けられた後、前記遮光板が前記シャッタの外側を覆うようにして前記カートリッジ本体の前記開口部側の側面から前記遮光板取付面に取り付けられるステップ、を有することを特徴とする上記（５）に記載の感光性記録媒体用カートリッジの製造方法。
【００２９】
上記感光性記録媒体用カートリッジの製造方法によれば、上記したようにシャッタをシャッタ摺動面に取り付けた後、シャッタの外側を覆うようにして遮光板が開口部側の側面から遮光板取付面に取り付けられるので、遮光板を変形させることなく取り付けることができ、これにより遮光性を向上させることができる。
【発明の効果】
【００３０】
本発明の感光性記録媒体用カートリッジおよびその製造方法によれば、シャッタおよび遮光板が、カートリッジ本体に形成された開口部側の側面から挿嵌されてカートリッジ本体に組み付けられた後、開口部に蓋体を固着して開口部を閉じると共に、シャッタおよび遮光板を、蓋体と、シャッタ摺動面および遮光板取付面の段部とで挟持する。これにより、ねじ止め箇所を減少させて部品点数を削減すると共に、組付け工数を低減させる感光性記録媒体用カートリッジおよびその製造方法を提供することができる。
【発明を実施するための最良の形態】
【００３１】
以下、本発明の実施形態を図面に基づいて詳しく説明する。図１は本発明の実施形態であるホログラム記録媒体用カートリッジ（以下、カートリッジと省略する）の斜視図、図２はカートリッジの構成を示す分解斜視図、図３は図１におけるＩＩＩ−ＩＩＩ矢視断面図であり、（Ａ）は全体図、（Ｂ）は前端縁部の拡大図、（Ｃ）は後端縁部の拡大図、図４はシャッタおよび遮光板を除いて示すカートリッジの要部拡大分解斜視図、図５は図１におけるＶ−Ｖ矢視断面図である。
【００３２】
図１及び図２に示すように、カートリッジ２は、このカートリッジを取り扱うホログラム記録装置等に対し、矢印Ｃ方向から装填される。カートリッジ２のディスク収容部３（図３参照）内に回転自在に収容される感光性記録媒体（以下、記録ディスクと称する）４は、中心部に穴をあけてディスク状にしたホログラム記録ディスクであり、両面にホログラム記録層が設けられている。
【００３３】
このホログラム記録層には、例えば、緑色５３２ｎｍ〜青色４０５ｎｍの波長域のレーザ光により、データがレーザ光の干渉縞として多層記録される。なお、記録ディスク４の穴部に補強材を付加してもよい。カートリッジ２は、記録ディスク４の両面の記録面に記録を行なうために、Ａ面２ａまたはＢ面２ｂのいずれかを上にしてホログラム記録装置にセットされる。
【００３４】
カートリッジ２は、ディスク収容部３が設けられたカートリッジ本体１１と、カートリッジ本体１１の側面１１ｃに形成された開口部２０を塞ぐ蓋体２１と、カートリッジ本体１１の外側を挟み込むようにして取り付けられる遮光板１２と、カートリッジ本体１１と遮光板１２との間に組み込まれるシャッタ１３とを備えている。遮光板１２の上下面には、第２の開口である略長方形の外部開口１４、１５が形成されている。これらの外部開口１４,１５は、シャッタ１３が閉じ位置にあるときに、第１シャッタ５５ａ,第２シャッタ５５ｂによって閉じられている。
【００３５】
シャッタ１３が矢印Ｄ方向の開き位置に向けて移動すると、外部開口１４,１５とともに、外部開口１４,１５に対面するようにカートリッジ本体１１に設けられている同形状の内部開口１８,１９が開放される。これにより、ディスク収容部３内に収容されている記録ディスク４の中心部４ａと、記録面４ｂとが外部に露呈される。シャッタ１３は、内蔵するシャッタバネによって閉じ位置に付勢されている。
【００３６】
図２に示すように、カートリッジ本体１１は、略板状の第１シェル２５と、この第１シェル２５に接合される第２シェル２６とから構成されている。第１シェル２５と第２シェル２６は、例えば、遮光性物質と滑剤とが添加された同一または類似の熱可塑性プラスチックを用いて、射出成形により形成されている。
【００３７】
カートリッジ２の後端縁部の拡大した断面図である図３（Ｃ）に示すように、第１シェル２５の内面には、記録ディスク４の外径よりも大きな径で形成された突条である第１の遮光壁３０と、この第１の遮光壁３０の外側に設けられた第２の遮光壁３１と、側面２５ｄを除く３辺の縁部に形成された突条３２とが設けられている。第１の遮光壁３０の内側には、記録ディスク４の中心部４ａと記録面４ｂとを外部に露呈させる内部開口１８が設けられている。
【００３８】
第２シェル２６の内面には、記録ディスク４の外径よりも大きな径で形成された突条であり、第１シェル２５の第１の遮光壁３０と第２の遮光壁３１との間に挿入される第３の遮光壁３５と、側面２６ｄを除く３辺の縁部に形成された突条３６とが設けられている。第３の遮光壁３５の内側には、記録ディスク４の中心部４ａと記録面４ｂとを外部に露呈させる内部開口１９が設けられている。
【００３９】
第２シェル２６の第３の遮光壁３５の内側に記録ディスク４を乗せ、第１シェル２５を第２シェル２６の上面に重ね合わせると、第３の遮光壁３５が第１の遮光壁３０と第２の遮光壁３１との間に挿入され、第３の遮光壁３５の先端が第１シェル２５の内面２５ｅに当接する。ディスク収容部３は、これらの遮光壁３０、３１、３５と、第１シェル２５及び第２シェル２６の内面とによって形成される。
【００４０】
ディスク収容部３の側壁は、３枚の遮光壁３０，３１,３５が入り組んで形成されたラビリンス状の遮光構造となる。そのため、第１シェル２５及び第２シェル２６の合せ目から光や塵芥が入り込んでも、これらがディスク収容部３内にまで進入することはない。第２シェル２６の第３の遮光壁３５の先端は、超音波溶着によって第１シェル２５の内面２５ｅに固着される。これにより、第１シェル２５と第２シェル２６とが強固に接合されるため、両者の合せ目に隙間が開くようなことはない。
【００４１】
また、第１シェル２５と第２シェル２６とが重ね合わされて接合されると、突条３２，３６が設けられていない側面２５ｄ、２６ｄによって形成される側面１１ｃには、開口部２０が形成されて外部に開放される。
【００４２】
図２及び図３に示すように、第１シェル２５及び第２シェル２６の外面には、遮光板１２の形状より僅かに大きく、且つ遮光板１２の厚み以上の深さで内側にオフセットされた遮光板取付面２５ａ,２６ａが形成されている。
【００４３】
図１、図２、図４及び図５に示すように、開口部２０には、蓋体２１が嵌合して開口部２０が塞がれる。蓋体２１は、カートリッジ本体１１の側面１１ｃの長さと同じ長さを有する略直方形の有底箱体であり、本体部２１ａから矩形枠状のリブ２１ｂが立設されている。また、本体部２１ａのリブ２１ｂ側には、その外周の３辺に遮光板取付面２５ａ,２６ａに対応して遮光板支持面２１ｅが形成されている。
【００４４】
蓋体２１は、矩形枠状のリブ２１ｂがカートリッジ本体１１に内嵌してカートリッジ本体１１に固着される。リブ２１ｂの第２の遮光壁３１に対応する部分は、円弧状に削除された逃げ部２１ｃが形成されており、蓋体２１がカートリッジ本体１１の側面１１ｃに固着されるとき、障害となることはない。尚、第１シェル２５及び第２シェル２６の側面２５ｄ、２６ｄ側の内面は、外側に掘り込まれた接合面２５ｆ，２６ｆが形成されており、蓋体２１のリブ２１ｂと嵌合する。
【００４５】
遮光板１２の材質には、遮光性、耐食性、装飾性、加工性を得ることができ、かつ軽量で強度のあるものとして、例えばアルミニウム合金が用いられている。なお、遮光板１２はプラスチックで形成してもよいが、遮光性と、シャッタ１３の滑り性とを確保するために、遮光性物質と滑剤とが添加されたプラスチックを用いるとよい。
【００４６】
図２に示すように、遮光板１２は、アルミニウム合金の薄板に外部開口１４,１５と、シャッタ１３の移動範囲を得るための切欠４０とを形成し、断面が略コ字形状となるように屈曲させたものである。これにより、遮光板１２には、外部開口１４,１５をそれぞれ有する第１の板部１２ａ及び第２の板部１２ｂと、切欠４０を有し第１の板部１２ａと第２の板部１２ｂとを連設させる第３の板部１２ｃとが設けられている。
【００４７】
遮光板１２は、第１の板部１２ａ及び第２の板部１２ｂでカートリッジ本体１１のＢ面２ｂ及びＡ面２ａを挟み込み、かつ第３の板部１２ｃでカートリッジ本体１１の装填方向Ｃの先端を覆うようにして、カートリッジ本体１１の遮光板取付面２５ａ,２６ａに取り付けられる。遮光板取付面２５ａ,２６ａは、遮光板１２の厚み以上の深さで内側にオフセットされているので、カートリッジ本体１１に取り付けられた遮光板１２の外面は、カートリッジ２の表面から突出することはない。
【００４８】
シャッタ１３は、遮光性を有する薄板を略コ字形状となるように屈曲させたシャッタ部材５５と、このシャッタ部材５５に取り付けられる細長い板状のスライド部材５６とからなる。シャッタ部材５５は、遮光板１２と同様の理由により、例えば、アルミニウム合金で形成されている。なお、シャッタ部材５５もプラスチックで形成してよいが、やはり、遮光性と滑り性とを確保するために、遮光性物質と滑剤とが添加されたプラスチックを用いるとよい。スライド部材５６は、遮光性物質と滑剤とが添加されたプラスチックで形成されている。
【００４９】
シャッタ部材５５は、第１シェル２５の外面と遮光板１２の第１の板部１２ａとの間に挿入される第１シャッタ５５ａと、第２シェル２６の外面と遮光板１２の第２の板部１２ｂとの間に挿入される第２シャッタ５５ｂと、これら第１シャッタ５５ａと第２シャッタ５５ｂとを連設するとともに、スライド部材５６が取り付けられる連設部５５ｃとを備えている。
【００５０】
第１シェル２５と第２シェル２６との外面には、遮光板取付面２５ａ,２６ａの内側に、シャッタ部材５５の厚み以上の深さで内側にオフセットさせたシャッタ摺動面２５ｂ,２６ｂが形成されている。これにより、シャッタ１３はカートリッジ本体１１と遮光板１２との間をスムースに移動することができるため、移動による切屑等の発生を抑えることができる。なお、シャッタ摺動面２５ｂ,２６ｂは、入射した光を拡散するために、粗面にしてもよい。同様に遮光板１２の内面、及びシャッタ１３の内面及び外面も粗面にしてもよい。
【００５１】
スライド部材５６は、カートリッジ２の装填方向前面５６ｇがカートリッジ本体１１の装填方向先端面から露出されるように、第１シェル２５と第２シェル２６との間にスライド自在に組み込まれる。スライド部材５６の前面５６ｇの端部には、シャッタ部材５５の連設部５５ｃの内面に取り付けられる取付面５６ａが設けられている。この取付面５６ａには、例えば２本のピン５６ｂが一体に形成されており、連設部５５ｃに設けられた二つの穴５５ｄに挿入されて熱で先端が潰されることにより、シャッタ部材５５とスライド部材５６とを固着する。なお、この固着にも接着剤や両面テープ等を用いてもよいし、シャッタ部材５５をプラスチックで形成する場合には、各種溶着を使用してもよい。また、ねじ止めを用いてもよい。
【００５２】
図２及び図３（Ｂ）に示すように、スライド部材５６の側面には、長手方向に沿って溝５６ｃが形成されている。この溝５６ｃには、第１シェル２５及び第２シェル２６の装填方向先端側の内面に設けられた突条２５ｃ,２６ｃが挿入される。この溝５６ｃと突条２５ｃ,２６ｃとにより、スライド部材５６はカートリッジ本体１１から外れることなく、スライド移動することができるようになる。
【００５３】
スライド部材５６の前面５６ｇのシャッタ閉じ方向の端部には、係合溝５６ｅが設けられている。係合溝５６ｅの奥側には、シャッタ１３を開く際に操作される係止部５６ｄがスライド部材５６の前面５６ｇよりもカートリッジ２の挿入方向前方に突出して形成されている。また、カートリッジ本体１１のシャッタ閉じ側の側端壁１１ａの前端角部は、係合溝５６ｅの深さと同じ深さで略コの字形に切り欠かれた凹部１１ｂが形成されており（図１参照）、スライド部材５６がカートリッジ本体１１に組み付けられたとき、凹部１１ｂの底面は、係合溝５６ｅの底面と同一面となる。
【００５４】
この係止部５６ｄは、シャッタ部材５５に対し、スライド部材５６をシャッタの閉じ方向に伸ばすように設けたことにより、遮光板１２の第３の板部１２ｃに隠れることなく外部に露出されている。遮光板１２の第３の板部１２ｃの切欠４０は、シャッタ１３が開き位置に移動した際に、係止部５６ｄとの干渉を避けるために設けられたものであり、シャッタ１３の移動距離が不足して内部開口１８,１９を開放できない場合に形成することにより移動距離の拡大が図られる。
【００５５】
遮光性の観点からは、切欠４０を設けないことが望ましい。また、切欠４０を設ける場合でも、切欠４０の端縁４０ａは、内部開口１８,１９の縁部１８ａ、１９ａからシャッタ閉じ方向にできるだけ離間させて形成するようにして遮光性を阻害しない配慮が必要である。
【００５６】
シャッタ１３は、シャッタバネ５９により付勢されている。シャッタバネ５９は、例えば、捩じりコイルバネからなり、その両端は、スライド部材５６と、第１シェル２５の内面とに係止されている。
【００５７】
次に、カートリッジ２の製造方法について、図４および図５に基づいて説明する。図４および図５に示すように、第２シェル２６の第３の遮光壁３５の内側に記録ディスク４を乗せて第１シェル２５を第２シェル２６の上面に重ね合わせ、第１シェル２５の第１の遮光壁３０と第２の遮光壁３１との間に挿入される第３の遮光壁３５の先端を、超音波溶着などによって第１シェル２５の内面２５ｅに固着する（図３（Ｃ）参照）。このとき、側面１１ｃには、開口部２０が形成される。
【００５８】
次いで、カートリッジ本体１１の側面１１ｃ側から、シャッタ部材５５の第１シャッタ５５ａと第２シャッタ５５ｂでカートリッジ本体１１のＡ面２ａおよびＢ面２ｂを挟み込み、かつ連設部５５ｃでカートリッジ本体１１の装填方向Ｃの先端を覆うようにして、シャッタ部材５５がシャッタ摺動面２５ｂ,２６ｂに取り付けられる。このとき、略コの字形のシャッタ部材５５は、開くことなくシャッタ摺動面２５ｂ,２６ｂに取り付けることができるので、変形することはない。
【００５９】
尚、シャッタ摺動面２５ｂ,２６ｂの手前に遮光板取付面２５ａ,２６ａが形成される場合でも、その段差は遮光板１２の厚さと同じ０．５ｍｍ程度であるので、シャッタ部材５５に変形が生じることはなく、支障なく組み付けることができる。
【００６０】
さらに、カートリッジ本体１１の側面１１ｃ側から、遮光板１２がシャッタ部材５５を覆うようにして挿嵌されて遮光板取付面２５ａ,２６ａに取り付けられる。このときも、シャッタ部材５５と同様に、遮光板１２は開くことなく遮光板取付面２５ａ,２６ａに取り付けられ、変形が生じることはない。
【００６１】
蓋体２１は、遮光板支持面２１ｅに遮光板１２を外嵌させながら、リブ２１ｂが開口部２０に挿入される。そして、リブ２１ｂと第１シェル２５及び第２シェル２６の接合面２５ｆ，２６ｆとを超音波溶着や接着などにより固着して開口部２０を塞いで遮光する。これにより、遮光板１２は、蓋体２１と遮光板取付面２５ａ,２６ａの第２の段部２５ｇ，２６ｇとにより挟持されて遮光板取付面２５ａ,２６ａに固着される。また同時に、シャッタ部材５５は、蓋体２１とシャッタ摺動面２５ｂ，２６ｂの第１の段部２５ｈ，２６ｈとの間に配置されて移動が制限された状態で、シャッタ摺動面２５ｂ，２６ｂに移動自在に取り付けられる。
【００６２】
即ち、本発明の感光性記録媒体用カートリッジ２の製造方法は、ディスク収容部３に感光性記録媒体４を回動自在に収容するステップと、シャッタ１３がカートリッジ本体１１の開口部２０側の側面１１ｃからシャッタ摺動面２５ｂ，２６ｂに移動自在に取り付けられた後、遮光板１２がシャッタ１３の外側を覆うようにしてカートリッジ本体１１の開口部２０側の側面１１ｃから遮光板取付面２５ａ,２６ａに取り付けられるステップと、蓋体２１がカートリッジ本体１１の開口部２０に固着されて開口部２０を閉じるステップと、を有する製造方法である。
【００６３】
次に、変形例のカートリッジについて図６に基づいて説明する。図６は変形例における図５相当部位の断面図である。尚、変形例のカートリッジは、蓋体とカートリッジ本体との固着方法が異なる以外は図１から図５で既に説明して実施形態のカートリッジと同様であるので、同一部分には同一符号または相当符号を付して説明を省略または簡略化する。
【００６４】
図６に示すように、変形例のカートリッジ２の第１シェル２５および第２シェル２６の開口部２０側の端部には、一方の係止部材である係止穴２５ｊ，２６ｊが形成されている。また、蓋体２１のリブ２１ｂには、係止穴２５ｊ，２６ｊに対応して他方の係止部材である係止突起２１ｄが設けられている。そして、シャッタ１３および遮光板１２が取り付けられたカートリッジ本体１１の開口部２０に、蓋体２１のリブ２１ｂが嵌合され、係止穴２５ｊ，２６ｊに係止突起２１ｄを係合させて蓋体２１がカートリッジ本体１１に固着される。
【００６５】
次に、遮光板を備えないカートリッジについて図７に基づいて説明する。図７は遮光板を備えないカートリッジにおける図５相当部位の断面図である。尚、本カートリッジは、遮光板を備えていないこと以外は図５で既に説明して変形例のカートリッジと同様であるので、同一部分には同一符号または相当符号を付して説明を省略または簡略化する。
【００６６】
図７に示すように、遮光板を備えないカートリッジ２の第１シェル２５および第２シェル２６の外面には、内側にオフセットされてシャッタ摺動面２５ｂ,２６ｂが形成されており、シャッタ部材５５が開口部２０側の側面１１ｃから挿嵌されてシャッタ摺動面２５ｂ,２６ｂに組み付けられる。このとき、略コの字形のシャッタ部材５５は、開くことなくシャッタ摺動面２５ｂ,２６ｂに取り付けることができるので変形することはない。
【００６７】
そして、蓋体２１のリブ２１ｂを開口部２０に嵌合させてリブ２１ｂと第１シェル２５及び第２シェル２６の接合面２５ｆ，２６ｆとを、超音波溶着、または接着により固着して開口部２０を塞いで遮光する。これにより、シャッタ部材５５は、蓋体２１とシャッタ摺動面２５ｂ，２６ｂの第１の段部２５ｈ，２６ｈとの間に配置され、移動が制限された状態でシャッタ摺動面２５ｂ，２６ｂに移動自在に取り付けられる。
【００６８】
次に、遮光板を備えないカートリッジの変形例について図８に基づいて説明する。図８は遮光板を備えないカートリッジの変形例における図５相当部位の断面図である。尚、本変形例のカートリッジは、遮光板を備えていないこと以外は図６で既に説明して実施形態のカートリッジと同様であるので、同一部分には同一符号または相当符号を付して説明を省略または簡略化する。
【００６９】
図８に示すように、遮光板を備えない変形例のカートリッジ２の第１シェル２５および第２シェル２６の開口部２０側の端部には、係止穴２５ｊ，２６ｊが形成されている。また、蓋体２１のリブ２１ｂには、係止穴２５ｊ，２６ｊに対応して係止突起２１ｄが設けられている。そして、シャッタ部材５５が開口部２０側の側面１１ｃから挿嵌されてシャッタ摺動面２５ｂ,２６ｂに組み付けられる。このとき、略コの字形のシャッタ部材５５は、開くことなくシャッタ摺動面２５ｂ,２６ｂに取り付けることができるので変形が生じることはない。
【００７０】
シャッタ部材５５が取り付けられたカートリッジ本体１１の開口部２０に蓋体２１のリブ２１ｂが嵌合され、係止穴２５ｊ，２６ｊに係止突起２１ｄが係合して蓋体２１とカートリッジ本体１１とが固着される。これにより、シャッタ部材５５は、蓋体２１とシャッタ摺動面２５ｂ，２６ｂの第１の段部２５ｈ，２６ｈにより移動が制限されてシャッタ摺動面２５ｂ，２６ｂに移動自在に取り付けられる。
【００７１】
上記説明においては、カートリッジ本体と蓋体とが、超音波溶着、接着、または係止部材の係合によって固着される例について説明したが、これに限定されることはなく、他の固着方法、例えば圧入や加締めなどにより固着してもよい。また、第１シェルと第２シェルとの固着に超音波溶着を用いたが、その他の溶着方法及び固着方法を用いてもよい。例えば、ネジなどで固着する場合には、ネジ穴の周囲にも遮光構造を形成するのが好ましい。また、第２シェル及び第１シェルを１部品で構成したが、複数の部品を組みあわせて形成してもよい。例えば、シャッタ収納部を境にして２部品で構成すれば、金型の簡易化を図ることができる。
【００７２】
更に、両面に記録が可能な記録ディスクを収容するカートリッジを例に脱明したが、一方の面に記録される記録ディスクに対応させてもよい。この場合には、開口を一方の面にのみ形成し、シャッタでこの開口を開閉する。また、ホログラム記録媒体を収容するカートリッジを例に説明したが、その他の感光性を有する記録媒体を収容するカ一トリッジにも本発明を適用することができる。また、シャッタのロック機構を持たないカートリッジを例に脱明したが、ロック機構を配備したカートリッジとすることもでき、この場合には不用意なシャッタの開放による感光性記録媒体の感光が防止できるので好ましい。
【図面の簡単な説明】
【００７３】
【図１】本発明を実施したカートリッジの外観形状を示す斜視図である。
【図２】カートリッジの構成を示す分解斜視図である。
【図３】図１におけるＩＩＩ−ＩＩＩ矢視断面図であり、（Ａ）は全体図、（Ｂ）は前端縁部の拡大図、（Ｃ）は後端縁部の拡大図である。
【図４】シャッタおよび遮光板を除いて示すカートリッジの要部拡大分解斜視図である。
【図５】図１におけるＶ−Ｖ矢視断面図である。
【図６】変形例における図５相当部位の断面図である。
【図７】遮光板を備えないカートリッジの図５相当部位の断面図である。
【図８】遮光板を備えない変形例のカートリッジの図５相当部位の断面図である
【符号の説明】
【００７４】
２         カートリッジ（感光性記録媒体用カートリッジ）
３         ディスク収容部
４         記録ディスク（感光性記録媒体、ホログラム記録媒体）
４ａ       感光性記録媒体の中心
４ｂ       感光性記録媒体の記録面
１１       カートリッジ本体
１１ｃ     側面
１２       遮光板
１３       シャッタ
１８       内部開口（第１の開口）
１９       内部開口（第１の開口）
２０       開口部
２１       蓋体
２１ｄ     係止突起（係止部材）
２５       第１シェル
２５ａ     遮光板取付面
２５ｂ     シャッタ摺動面
２５ｇ     第２の段部
２５ｈ     第１の段部
２５ｊ     係止穴（係止部材）
２６       第２シェル
２６ａ     遮光板取付面
２６ｂ     シャッタ摺動面
２６ｇ     第２の段部
２６ｈ     第１の段部
２６ｊ     係止穴（係止部材）
【図１】
0004686302.tif 000002
【図２】
0004686302.tif 000003
【図３】
0004686302.tif 000004
【図４】
0004686302.tif 000005
【図５】
0004686302.tif 000006
【図６】
0004686302.tif 000007
【図７】
0004686302.tif 000008
【図８】
0004686302.tif 000009